(57)【要約】【課題】帽子自体に手を加える事無く、帽子を被った際にセット後の前髪が帽子の裏面に押されて平たくなるのを防止し得る帽子用装着器具を実現する。【解決手段】装着器具１００は、湾曲自在な板状体１と、板状体１に一体的に配設されて板状体１を帽子の汗取りパッドに取付けるクリップ部２Ａ，２Ｂ．２Ｃを有する。クリップ部２Ｂ，２Ｃの配設位置に於いて、板状体１及び各クリップ部２Ｂ，２Ｃに一方の面部分が固設された板バネ３Ａ，３Ｂは、板状体１より前方へ傾斜して突出する面部分３ＡＳ，３ＢＳを有する。面部分３ＡＳ，３ＢＳ上に、前方に突出する突出部４Ａ，４Ｂ，４Ｃが固設されており、各突出部の突出長さはＬ１＞Ｌ２＞Ｌ３の関係にある。板バネ３Ａ，３Ｂの面部分３ＡＳ，３ＢＳの下端部３ＡＥ，３ＢＥは、板状体１の中央寄り側より対応する端部１ＥＡ，１ＥＢに向けて下方に傾斜している。【選択図】図１
2019019425.tif 000002
【特許請求の範囲】
【請求項１】
湾曲自在な板状体と、
前記板状体に配設されており、前記板状体を帽子の汗取りパッドの裏面に取付けて固定するための取付け部と、
前記取付け部の配設位置に於いて前記板状体に配設されており、弾性を有すると共に前記板状体より前方へ傾斜して突出する突出面を有する弾性体と、
前記弾性体の前記突出面上に固設されて前方に突出する少なくとも１個の突出部と
を備えることを特徴とする、帽子用装着器具。
【請求項２】
請求項１に記載の帽子用装着器具であって、
前記取付け部、前記弾性体及び前記少なくとも１個の突出部は、前記板状体の長手方向に於ける左右の各端部寄り部分に設けられており、
前記各端部に於いて、前記少なくとも１個の突出部は複数個の突出部を有しており、
前記複数個の突出部の各々の突出長さは、前記板状体の中央寄り側より当該端部に向かうに連れて短くなる
ことを特徴とする、帽子用装着器具。
【請求項３】
請求項２に記載の帽子用装着器具であって、
前記弾性体の前記突出面の下端部は、前記板状体の中央寄り側より前記板状体の対応する前記端部に向けて下方に傾斜している
ことを特徴とする、帽子用装着器具。
【請求項４】
帽子の汗取りパッドの裏面に沿って装着器具が取り付けられた上で人が前記帽子を被った際に、
前記汗取りパッドの表面より前方に突出した前記装着器具の弾性体を介して、前記弾性体に固設された突出部の先端部が前記人の額に当接して前記帽子の裏面と前記人の前髪との間に間隙を作り出す
ことを特徴とする、帽子用装着器具。
【発明の詳細な説明】
【技術分野】
【０００１】
本発明は、帽子用装着器具に関する。
【背景技術】
【０００２】
帽子用の装着器具として、帽子を被った際の額部に於ける空気の流通性を良くするための帽子用通気補助具が提案されている（例えば、特許文献１を参照。）。
【０００３】
又、帽子を被った際にセットした前髪が押しつぶされるのを防止するために、帽子の前側に前髪を出す穴を設けた帽子が提案されている（例えば、特許文献２を参照。）。
【先行技術文献】
【特許文献】
【０００４】
【特許文献１】特開２０１４−２０５９３７号公報
【特許文献２】特開２００２−８８５５４号公報
【発明の概要】
【発明が解決しようとする課題】
【０００５】
成る程に、帽子を被ると、前髪が帽子の前側部分の裏面によって押しつぶされて平たくなってしまい、せっかくセットした前髪の形態が台無しになってしまうという問題点がある。
【０００６】
斯かる問題点を、如何なる種類の帽子であっても、外観上は帽子に変更を加える事無くないしは見かけ上は帽子の構成に変更を加えること無く、解決されることが望まれる。換言すれば、帽子自体には手を加えること無く、且つ、単に帽子を被るだけで、セット後の前髪が帽子によって押しつぶされて平たくなるという上記の問題点が解決されることが望まれる。
【０００７】
この発明は斯かる要望に応えるべく成されたものであり、その主目的は、外観上は帽子に変更を加える事無く如何なる種類の帽子にも適用可能であって、且つ、単に帽子を被るだけでセット後の前髪が帽子の裏面に触れることなく前髪の形態が帽子を被る前の状態として維持されることを可能とする、帽子用装着器具を提供することにある。
【課題を解決するための手段】
【０００８】
本発明の主題に係る帽子用装着器具は、湾曲自在な板状体と、前記板状体に配設されており、前記板状体を帽子の汗取りパッドの裏面に取付けて固定するための取付け部と、前記取付け部の配設位置に於いて前記板状体に配設されており、弾性を有すると共に前記板状体より前方へ傾斜して突出する突出面を有する弾性体と、前記弾性体の前記突出面上に固設されて前方に突出する少なくとも１個の突出部とを備えることを特徴とする。
【発明の効果】
【０００９】
本発明の主題に係る帽子用装着器具の適用によれば、単に帽子を被るだけで、帽子を被った後の前髪を、帽子を被る前の形態と同一の形態に維持することが出来る。
【００１０】
以下、本発明の様々な具体化を、添付図面を基に、その効果・利点と共に、詳述する。
【図面の簡単な説明】
【００１１】
【図１】本発明の実施の形態１に係る帽子用装着器具の構成を模式的に示す図である。
【図２】本発明の実施の形態１に係る帽子用装着器具の構成を模式的に示す図である。
【図３】本発明の実施の形態１に係る帽子用装着器具を帽子の汗取りパッドに取付けた際の構成を模式的に示す図である。
【図４】本発明の実施の形態１に係る帽子用装着器具が帽子の汗取りパッドに取付けられた状態にある帽子を人が被った際の状態を模式的に示す図である。
【図５】本発明の実施の形態２に係る帽子用装着器具の構成を模式的に示す図である。
【図６】本発明の実施の形態２に係る帽子用装着器具の構成を模式的に示す図である。
【発明を実施するための形態】
【００１２】
（実施の形態１）
＜帽子用装着器具の構成＞
【００１３】
図１（ａ）は、本実施の形態に係る帽子用装着器具１００の構成を模式的に示す正面図であり、帽子用装着器具１００の板状体１を湾曲させずにその長手方向ＬＤに真っ直ぐに延ばした状態での正面視の図に該当している。これに対して、図１（ｂ）は、図１（ａ）の矢印ＡＲの方向から帽子用装着器具１００を眺めた場合の平面図であり、板状体１をその長手方向ＬＤに沿って湾曲させた場合に於ける平面視の図に該当している。他方、図２は、図１（ａ）の状態に於ける帽子用装着器具１００の背面図である。尚、図１及び図２で例示される帽子用装着器具１００の構成は、帽子用装着器具１００を帽子１０の汗取りパッド５の裏面５ＲＳ（後述する図３を参照。）に沿って取り付ける前の状態に於ける構成に対応している。
【００１４】
図１及び図２に於いて、帽子用装着器具１００は、大要、板状体１、並びに、板状体１に設けられた各クリップ部２、板バネ３及び複数個の突出部４の各部分を備える。この帽子用装着器具１００は、帽子の汗取りパッドの裏面に沿って当該装着器具１００が取り付けられた上で人が帽子を被った際に、汗取りパッドの表面より前方に突出した当該装着器具１００の板バネ３の弾性を介して、板バネ３に固設された突出部４の先端部が人の額に当接・押圧して帽子を浮かせることで帽子の裏面と人の前髪との間に間隙（空間）を作り出す器具である。
【００１５】
板状体１は、その長手方向ＬＤに沿って自在に湾曲可能な材質より成る、長さＬ、幅ＷＡ及び厚みＴの板である。例えば、板状体１は、湾曲自在なプラスチックの板より成る。
【００１６】
又、クリップ部２は、板状体１の中央部に配設された第１クリップ部２Ａ、並びに、板状体１の長手方向ＬＤに於ける左右の各端部１ＥＡ，１ＥＢ寄り部分に設けられた第２クリップ部２Ｂ及び第３クリップ部２Ｃより成る（幅Ｗ）。これら３個のクリップ部２（２Ａ，２Ｂ，２Ｃ）は、板状体１を帽子の汗取りパッドの裏面５ＲＳ（図３参照。）に沿って湾曲させつつ当接状態で取付けることで板状体１を帽子の汗取りパッドに固定するための「取付け部」を成す。例えば、各クリップ部２（２Ａ，２Ｂ，２Ｃ）は、マネークリップの様な薄い板状のクリップである。本実施の形態では、好ましい一例として、クリップ部２（２Ａ，２Ｂ，２Ｃ）は、板状体１に一体化されて成る。板状体１がプラスチックの様な樹脂より成る場合には、クリップ部２（２Ａ，２Ｂ，２Ｃ）は、樹脂成形の製造方法によって、板状体１に一体的に、薄い板状物として生成される。或いは、変形例として、各クリップ部２（２Ａ，２Ｂ，２Ｃ）は、個別に、板状体１の表面１ＳＳ上に接着等の結合手段によって固設されていても良い（非一体化の場合。）。
【００１７】
そして、板状体１の左右の各端部１ＥＡ，１ＥＢ側の第２クリップ部２Ｂ及び第３クリップ部２Ｃの各々の配設位置に於いて、板状体１に、弾性を有すると共に板状体１より前方へ傾斜して突出する突出面を有する「弾性体」が配設されている。本実施の形態では、好ましい一例として、板バネ３（第１板バネ３Ａ，第２板バネ３Ｂ）が、上記の「弾性体」として採用される。この板バネ３（３Ａ，３Ｂ）は金属製の板状のバネ材より成り（例えば、アルミニウム製の板。）、その略中央部分で二つ折りに折り曲げられた状態で板状体１に配設されて成る。より詳細には次の通りである。
【００１８】
即ち、二つ折りに折り曲げられた状態の第１板バネ３Ａの一方の面部分３ＡＳＳは、図２に例示される様に、接着等によって、板状体１の裏面１ＲＳに全面的に固定されている。これに対して、第１板バネ３Ａの他方の面部分３ＡＳに関しては、図１に破線で例示される様に、その正面視に於いて左端及びその周囲に該当する部分が、第２クリップ部２Ｂに、接着等によって固定されている。そして、第２クリップ部２Ｂの形状に相応しつつ、第１板バネ３Ａの他方の面部分３ＡＳは、板状体１の表面１ＳＳよりも前方へ傾斜して突出する「突出面」を成している。これらの第１板バネ３Ａの面部分３ＡＳＳ，３ＡＳの構成によって、第１板バネ３Ａは、第２クリップ部２Ｂと一体化して、後述する人の額からの押圧に対して、バネ性ないしは弾性を呈することとなる。
【００１９】
他方の第２板バネ３Ｂも、上述の第１板バネ３Ａの構成と同様の構成を有する。重複的に記載すれば、二つ折りに折り曲げられた状態の第２板バネ３Ｂの一方の面部分３ＢＳＳは、図２に例示される様に、接着等によって、板状体１の裏面１ＲＳに全面的に固定されている。第２板バネ３Ｂの他方の面部分３ＢＳに関しては、図１に破線で例示される様に、その正面視に於いて右端及びその周囲に該当する部分が、第３クリップ部２Ｃに、接着等によって固定されている。そして、第３クリップ部２Ｃの形状に相応しつつ、第２板バネ３Ｂの他方の面部分３ＢＳは、板状体１の表面１ＳＳよりも前方へ傾斜して突出する「突出面」を成している。その結果、第２板バネ３Ｂは、第３クリップ部２Ｃと一体化して、人の額からの押圧に対して、バネ性ないしは弾性を呈することとなる。
【００２０】
更に、図１（ａ）に例示される様に、第１板バネ３Ａの「突出面」に該当する面部分３ＡＳの下端部３ＡＥは、板状体１の中央寄り側より板状体１の対応する端部１ＥＡに向けて下方に傾斜している。同様に、第２板バネ３Ｂの「突出面」に該当する面部分３ＢＳの下端部３ＢＥも、板状体１の中央寄り側より板状体１の対応する端部１ＥＢに向けて下方に傾斜している。これらの下端部３ＡＥ，３ＢＥの傾斜構成の採用により、汗取りパッドの裏面に沿って当該装着器具１００が取り付けられた帽子を人が被る際に、人は、両下端部３ＡＥ，３ＢＥの最下部の部分Ｐを親指で押さえつけて対応する板バネ３Ａ，３Ｂを圧縮しながら帽子を容易に被ることができるという利点が得られる。
【００２１】
尚、第１板バネ３Ａ及び第２板バネ３Ｂは、板状体１の中央部に対して左右対称の配設位置に於いて取付けられており、各板バネ３Ａ，３Ｂの内側端部は、板状体１の中央部より長さＬＳ（＜Ｌ／２）だけ離れた位置にある。
【００２２】
更に、第１及び第２板バネ３Ａ，３Ｂの各々の面部分（突出面）３ＡＳ，３ＢＳ上には、当該面部分３ＡＳ，３ＢＳより更に前方に突出する複数個の突出部４Ａ，４Ｂ，４Ｃが、等間隔ｄで以って順次に固設されている。本実施の形態では、好ましい一例として、各突出部４Ａ，４Ｂ，４Ｃは、シリコーン樹脂より成る円柱状体である。尚、各突出部４Ａ，４Ｂ，４Ｃの材質及び形状は任意である。そして、本実施の形態の特筆すべき点として、各突出部４Ａ，４Ｂ，４Ｃの前方に突出する長さＬ１，Ｌ２，Ｌ３は、Ｌ１＞Ｌ２＞Ｌ３の関係を満足する様に設定されている。即ち、複数個の突出部４Ａ，４Ｂ，４Ｃの各々の突出長さＬ１，Ｌ２，Ｌ３は、板状体１の中央寄り側に位置する物４Ａより板状体１の対応する端部１ＥＡ，１ＥＢ側にある物４Ｃに向かうに連れて、順次に短くなる様に設定されている。斯かる長さ関係（Ｌ１＞Ｌ２＞Ｌ３）の設定により、次の利点が得られる。即ち、当該装着器具１００が帽子の汗取りパッドに取り付けられた帽子を人が被った際に、後述する様に、各突出部４Ａ，４Ｂ，４Ｃの先端部は、横ずれすること無く、当該人の額の対面する部分に確実に当接して額部分を真っ直ぐ前方に向けて押圧することとなる。この様に、各突出部４Ａ，４Ｂ，４Ｃの突出長さＬ１，Ｌ２，Ｌ３は、人の額の曲面ないしは額のラインに沿って各突出部４Ａ，４Ｂ，４Ｃの先端部が順次に額部分に当接・前方押圧する様に、設定されている。仮に、各突出部４Ａ，４Ｂ，４Ｃの突出長さＬ１，Ｌ２，Ｌ３を互いに等しく設定すると（Ｌ１＝Ｌ２＝Ｌ３）、第１番目の突出部４Ａの先端部は、対応する額部に適切に当接して前方へ押し出す様に押圧することとなる。しかしながら、第２番目の突出部４Ｂ及び第３番目の突出部４Ｃは、その長さＬ２，Ｌ３が長すぎるために、横ずれを起こして傾くこととなり、各突出部４Ｂ，４Ｃの先端部が対応する額部分に前方に押し出す様に真っ直ぐに押圧することが出来なくなるという、不都合が生じる。
【００２３】
＜帽子用装着器具の作用・利点＞
先ず、帽子を被る前の準備として、既述した帽子用装着器具１００を、帽子の汗取りパッドの裏面に沿って当該汗取りパッドの裏面側（帽子の内側）に取り付ける。そのために、人は、帽子用装着器具１００の板状体１の表面１ＳＳを汗取りパッドの裏面に当接させて板状体１を汗取りパッドの裏面側つまり帽子の内側に配置する。その状態で、人は、板状体１の各クリップ部２Ａ，２Ｂ，２Ｃで帽子の汗取りパッドを挟み込むことで、板状体１を帽子の汗取りパッドの裏面側に取付けて固定する。この取り付け後の状態を帽子の内側から眺める態様で模式的に示す図が、図３である。
【００２４】
図３に於いて、帽子１０は、頭の後頭部側で長さ調整を行うためのバンド部１０Ｂ１，１０Ｂ２を有していると共に、頭の前頭部側から後頭部側へ向けて延在する汗取りパッド（「スベリ」とも称される布部分である。）５を有する。図３に例示される様に、板状体１は、帽子１０の汗取りパッド５のラインに沿って湾曲しつつ、汗取りパッド５の裏面５ＲＳ側に当接した状態で取り付けられている。その結果、帽子１０を人が被った際には、左右一対の３個の突出部４Ａ，４Ｂ，４Ｃがそれぞれ当該人の額（おでこ）の左右側部分に於いて当該額に当接する様に、板バネ３Ａ，３Ｂの面部分（突出面）３ＡＳ，３ＢＳと共に、左右一対の３個の突出部４Ａ，４Ｂ，４Ｃは、帽子１０のバンド部１０Ｂ１，１０Ｂ２側及び裏面１０ＲＳ側へ向けて突出している。尚、図３に於ける参照符号５ＳＳは、各クリップ部２Ａ，２Ｂ，２Ｃが挟み込む汗取りパッド５の表面である。
【００２５】
次に、人は、図３の状態にある、バンド部１０Ｂ１，１０Ｂ２による長さ調整済みの帽子１０を被る。その際に、人は、第１板バネ３Ａの面部分３ＡＳの最下部の部分Ｐを左親指で押さえ、且つ、第２板バネ３Ｂの面部分３ＢＳの最下部の部分Ｐを右親指で押さえることで、各板バネ３Ａ，３Ｂを圧縮しながら帽子１０を被ることが出来る。そのため、人は、帽子１０を被るときに左右一対の３個の突出部４Ａ，４Ｂ，４Ｃの存在が邪魔とは成らずに、容易に帽子１０を被ることが出来る。
【００２６】
帽子１０を被った後に人が上記の両最下部の部分Ｐを押さえている両親指を離すと、両板バネ３Ａ，３Ｂは伸長して左右一対の各突出部４Ａ，４Ｂ，４Ｃが対応する左右の額部分に当接して前方へ向けて当該額部分を押すこととなる。その際、弾性体である両板バネ３Ａ，３Ｂを介在して各突出部４Ａ，４Ｂ，４Ｃは対応する額部分を押すので、額部分から各突出部４Ａ，４Ｂ，４Ｃに対して加わる反作用は対応する第１及び第２板バネ３Ａ，３Ｂにより吸収されて緩和される。このため、各突出部４Ａ，４Ｂ，４Ｃが当該人の左右の額部分に当接して前方へ押圧を加えている状態であっても、人は、額部分に違和感を生じないという利点が得られる。
【００２７】
この各突出部４Ａ，４Ｂ，４Ｃの額部分への当接・押圧状態を模式的に示す図が、図４である。但し、図４に於いては、恰も額の中央部分に対して突出部４が当接して前方へ押圧を加えている状態が描かれているが、これは図示の便宜上であり、実際には、人の額の左右側の部分に対して各突出部４の先端部が当たって前方へ向けて当該額部分を押しているのである。図４に於いて、参照符号ＨＲは髪であり、参照符号ＦＨＲは前髪であり、帽子の汗取りパッド５は便宜上、破線で示されている。
【００２８】
図４に模式的に示される様に、左右一対の各突出部４が対応する左右の額部分に当接して押圧を加えているので、人の額ＨＰと帽子１０の裏面１０ＲＳの前側部分との間には、間隙ないしは隙間１０ＳＰが生成される。この間隙１０ＳＰの生成により、人は帽子１０を被っても、その人の前髪ＦＨＲは帽子１０の裏面１０ＲＳとは接触しないこととなり、その結果、セット後の前髪ＦＨＲは、帽子１０の裏面１０ＲＳによって押しつぶされて平たい状態となってしまうことは無く、帽子１０を被る前のセット状態を保ち続ける。しかも、図３及び図４の例示の如く、帽子１０の汗取りパッド５の裏面乃至は内側に帽子用装着器具１００を、帽子を被る前に予め取り付けて固定しておくだけで、上記の利点が得られる。即ち、外観上ないしは見かけ上は帽子１０の構成に何等の変更を加えること無く（帽子１０自体には手を加えること無く）、単に親指で上記部分Ｐを押しながら帽子１０を被るだけで、間隙１０ＳＰが簡単に生成されて、セット後の前髪が帽子１０の裏面１０ＲＳによって押しつぶされて平たくなるという上記の問題点が解決される。しかも、帽子は一般的に汗取りパッドを備えている物なので、斯かる利点は、帽子用装着器具１００を取り付けるべき帽子の種類・材質に拘わらず、一般的に得られる利点である。
【００２９】
（実施の形態２）
＜帽子用装着器具の構成＞
図５及び図６は、本実施の形態に係る帽子用装着器具１００Ｍの構成を示す図である。本実施の形態に係る帽子用装着器具１００Ｍに於いては、実施の形態１に係る帽子用装着器具１００の構成とは逆に、左右一対の板バネ３ＭＡ，３ＭＢが湾曲自在な板状体１Ｍに一体的に形成されており、各クリップ部２Ｍ（２ＭＡ，２ＭＢ，２ＭＣ）は個別に板状体１Ｍに接着等により取り付けられている。但し、左右一対の各突出部４Ａ，４Ｂ，４Ｃの構成は実施の形態１の場合と同様である（Ｌ１＞Ｌ２＞Ｌ３）。帽子用装着器具１００Ｍの構成は次の通りである。
【００３０】
図５（ａ）は、帽子用装着器具１００Ｍの構成を模式的に示す正面図であり、帽子用装着器具１００Ｍの板状体１Ｍを湾曲させずにその長手方向ＬＤに真っ直ぐに延ばした状態での正面視の図に該当している。図５（ｂ）は、図５（ａ）の矢印ＡＲＭの方向から帽子用装着器具１００Ｍを眺めた場合の平面図であり、板状体１Ｍをその長手方向ＬＤに沿って湾曲させた場合に於ける平面視の図に該当している。他方、図６は、図５（ａ）の状態に於ける帽子用装着器具１００Ｍの背面図である。実施の形態１と同様に、図５及び図６で例示される帽子用装着器具１００Ｍの構成は、帽子用装着器具１００Ｍを帽子１０の汗取りパッド５の裏面５ＲＳ（既述の図３を参照。）に沿って取り付ける前の状態に於ける構成に対応している。
【００３１】
帽子用装着器具１００Ｍの構成の第１の特徴点は、上記の通り、長手方向ＬＤに関して板状体１Ｍの左右端側位置に接着等により固設された左右のクリップ部２ＭＢ，２ＭＣの配設位置に於いて、左右の第１板バネ３ＭＡ及び第２板バネ３ＭＢが板状体１Ｍに折り曲げられた状態で一体的に形成されている点にある。そして、実施の形態１と同様に、各板バネ３ＭＡ，３ＭＢは、板状体ＩＭより前方へ傾斜して突出する突出面３ＭＡＳ，３ＭＢＳを有すると共に、突出面３ＭＡＳ，３ＭＢＳの下端部３ＭＡＥ，３ＭＢＥは、板状体１Ｍの中央寄り側より板状体１Ｍの対応する端部１ＭＥＡ，１ＭＥＢに向けて下方に傾斜している。例えば、板状体１Ｍ及び一体化された各板バネ３ＭＡ，３ＭＢは、比較的にその厚みＴが薄くて湾曲自在な金属の板状体より成る（例えば、銅板又はアルミニウム板）。ここでは、板状体１Ｍの幅は、各板バネ３ＭＡ，３ＭＢが板状体１Ｍに一体化されているので、幅ＷＢとなる。
【００３２】
帽子用装着器具１００Ｍの構成の第２の特徴点は、上記の通り、各クリップ部２ＭＡ，２ＭＢ，２ＭＣが、個別にないしは個々に、接着等の手段によって、板状体１Ｍに直接に固設されている点にある。本実施の形態でも、例えば、各クリップ部２ＭＡ，２ＭＢ，２ＭＣは、マネークリップの様な薄い板状のクリップである。又、左右のクリップ部２ＭＢ，２ＭＣの一方の面部分（板状体１Ｍに固設されない側の面部分）は、当該配設位置に対応する、板状体１Ｍに一体化された板バネ３ＭＡ，３ＭＢの突出面３ＭＡＳ，３ＭＢＳに固設されていても良い。
【００３３】
又、実施の形態１と同様に、各板バネ３ＭＡ，３ＭＢの突出面３ＭＡ，３ＭＢ上に、等間隔ｄで以って、更に前方に突出する３個の突出部４Ａ，４Ｂ，４Ｃが配列されており、各突出部４Ａ，４Ｂ，４Ｃの突出長さＬ１，Ｌ２，Ｌ３はＬ１＞Ｌ２＞Ｌ３の関係に設定されている。
【００３４】
＜帽子用装着器具１００Ｍの作用・利点＞
【００３５】
帽子用装着器具１００Ｍの作用・利点は、実施の形態１で既述した帽子用装着器具１００の作用・利点と同一である。従って、帽子用装着器具１００Ｍをクリップ部２ＭＡ，２ＭＢ，２ＭＣで挟み込んで帽子の汗取りパッドの裏面に取付けて固定した状態は、既述の図３に例示する状態となり、帽子用装着器具１００Ｍが帽子の汗取りパッドに取付けられた帽子を人が被った際の模式図もまた図４に例示する図となる。ここでは、図３及び図４並びにそれらに関する既述の記載・説明を援用する。
【００３６】
（変形例）
１）実施の形態１及び２に於けるクリップ部２Ａ（２ＭＡ）を設けずに、左右の２個のクリップ部２Ｂ，２Ｃ（２ＭＢ，２ＭＣ）のみより、クリップ部を構成することとしても良い。
【００３７】
２）変形例１に代えて、左右両側のクリップ部２Ｂ，２Ｃ（２ＭＢ，２ＭＣ）の一方を設けずに、左右両側のクリップ部２Ｂ，２Ｃ（２ＭＢ，２ＭＣ）の他方と中央のクリップ部２Ａ（２ＭＡ）の２個のクリップより、クリップ部を構成することとしても良い。この場合には、中央のクリップ部２Ａ（２ＭＡ）の配設位置に対して板バネ３及び各突出部４が同様に設けられることとなり、額中央部での突出部の当接・押圧及び額左右側の一方の部分での突出部の当接・押圧によって、図４に示す空間１０ＳＰが形成されることとなる。
【００３８】
３）或いは、中央のクリップ部２Ａの配設位置に対してのみ既述の板バネ３及び各突出部４が同様に設けられることとしても良い。この場合には、額中央部での突出部の当接・押圧のみによって、多少不安定ながらも、図４に示す空間１０ＳＰを形成することとなる。
【００３９】
４）弾性体３は、板バネの如く、当該弾性体の面上に固設されている各突起部から作用する力を吸収して緩和する弾性機能を呈し且つ上記の突出面を有するものであれば、その具体的構成ないしは種類は問われない。
【００４０】
５）実施の形態１及び２の各突出部４Ａ，４Ｂ，４Ｃに代えて、突出部４を１個に設定しても良い。例えば、突出部４Ｂのみを設けることとする。逆に突出部４を複数個とする場合には、突出部４の数は任意である。又、各突出部４の間隔は図１及び図５の等間隔ｄに設定されている必要性は無く、各突出部４は異なる間隔で設けられていても良い（任意）。
【００４１】
（付記）
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【産業上の利用可能性】
【００４２】
本発明は、例えば、帽子を被る際に予め当該帽子の汗取りパッドに装着しておくための装着器具に適用して好適であり、種々の帽子に適用可能な装着器具として利用可能である。
【符号の説明】
【００４３】
１００  帽子用装着器具（装着器具）
１  板状体
１ＥＡ，１ＥＢ  板状体の端部
２，２Ａ，２Ｂ，２Ｃ  クリップ部（取付け部）
３，３Ａ，３Ｂ  板バネ（弾性体）
３ＡＳ，３ＢＳ  突出面
４，４Ａ，４Ｂ，４Ｃ  突出部
５  汗取りパッド
１０  帽子
１０ＲＳ  帽子の裏面
１０ＳＳ  間隙（空間）
【図１】
2019019425.tif 000003
【図２】
2019019425.tif 000004
【図３】
2019019425.tif 000005
【図４】
2019019425.tif 000006
【図５】
2019019425.tif 000007
【図６】
2019019425.tif 000008
【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
湾曲自在な板状体と、
前記板状体に配設されており、前記板状体を帽子の汗取りパッドの裏面に取付けて固定するための取付け部と、
前記取付け部の配設位置に於いて前記板状体に配設されており、弾性を有すると共に前記板状体より前方へ傾斜して突出する突出面を有する弾性体と、
前記弾性体の前記突出面上に固設されて前方に突出する少なくとも１個の突出部と
を備えることを特徴とする、帽子用装着器具。
【請求項２】
請求項１に記載の帽子用装着器具であって、
前記取付け部、前記弾性体及び前記少なくとも１個の突出部は、前記板状体の長手方向に於ける左右の各端部寄り部分に設けられており、
前記各端部に於いて、前記少なくとも１個の突出部は複数個の突出部を有しており、
前記複数個の突出部の各々の突出長さは、前記板状体の中央寄り側より当該端部に向かうに連れて短くなる
ことを特徴とする、帽子用装着器具。
【請求項３】
請求項２に記載の帽子用装着器具であって、
前記弾性体の前記突出面の下端部は、前記板状体の中央寄り側より前記板状体の対応する前記端部に向けて下方に傾斜している
ことを特徴とする、帽子用装着器具。